(57)【要約】【課題】  チャネル内の会話の最後の方で利用者の興味が集まっている話題の把握と利用者が見た時点での最近の話題であるかを同時に把握可能にする。【解決手段】  本発明は、話題リスト記憶手段に記憶されている話題を、チャネル毎にスコアの大きいものから順にチャネル識別子と対応付けて規定個数並べたチャネル情報テーブルを作成し、各チャネルの各話題について、当該話題を構成する語を参照して、該チャネル情報テーブル上の話題のうち、語出現最新時刻記憶手段における時刻が、現時刻以前の規定時間内に存在しない語を抽出し、該語のみから構成される話題に対して、該チャネル情報テーブル上の条件に該当しない話題とは異なる表示形式で表示する命令を付与し、出力する。【選択図】  図１
2006350863.tif 000002
【特許請求の範囲】
【請求項１】
チャネル識別子と発生時刻が関係付けられて複数のチャネルのメッセージが、発生時刻が古い順に入力され、該入力において、入力された該メッセージ及び入力された該チャネル識別子に対して入力されたメッセージ群の中から予め定義された品詞パタンにマッチする話題群を求める手段と、
前記各メッセージの各話題に対して抽出された話題が出現したメッセージより後に入力された当該チャネル識別子のメッセージにおいて、当該話題を構成する語が出現したメッセージの数を支持数として求める手段と、
前記支持数を入力された前記チャネル識別子に対して入力された前記メッセージの中で当該語が出現したメッセージの数を分母とする式により重み付けした値を分子の構成要素に持ち、前記後に入力されたメッセージの数の分母の構成要素に持つ式によりスコア値を算出する手段と、
前記話題と前記スコアと入力された前記チャネル識別子とを関係付けて話題リスト記憶手段に格納する手段と、からなる提示話題語作成手段を有する話題提示装置であって、
前記各チャネルの各話題について、当該話題を構成する語を記憶する話題構成語記憶手段と、
前記各チャネルの各語について、当該チャネルの中の当該語が出現するメッセージの中で入力が最新のメッセージに関連付けられている時刻を記憶する語出現最新時刻記憶手段と、
前記前記話題リスト記憶手段に記憶されている話題を、チャネル毎にスコアの大きいものから順にチャネル識別子と対応付けて規定個数並べたチャネル情報テーブルを作成し、前記話題構成語記憶手段を参照して、該チャネル情報テーブル上の話題のうち、前記語出現最新時刻記憶手段における時刻が現時刻以前の規定時間内に存在しない語を抽出し、該語のみから構成される話題に対して、該チャネル情報テーブル上の条件に該当しない話題とは異なる表示形式で表示する命令を付与して、該チャネル情報テーブルを、表示装置に出力するチャネル情報テーブル作成手段と、
を有することを特徴とする話題提示装置。
【請求項２】
前記チャネル情報テーブル作成手段は、
前記該チャネル情報テーブル上の条件に該当しない話題とは異なる表示形式で表示する命令として、
前記語出現最新時刻記憶手段における時刻が現時刻以前の規定時間内にない語のみから構成される話題に対して、フォントを小さくする、または、薄い表示色にする命令を用いる請求項１記載の話題提示装置。
【請求項３】
チャネル識別子と発生時刻が関係付けられて複数のチャネルのメッセージが、発生時刻が古い順に入力され、該入力において、入力された該メッセージ及び入力された該チャネル識別子に対して入力されたメッセージ群の中から予め定義された品詞パタンにマッチする話題群を求める手段と、
前記各メッセージの各話題に対して抽出された話題が出現したメッセージより後に入力された当該チャネル識別子のメッセージにおいて、当該話題を構成する語が出現したメッセージの数を支持数として求める手段と、
前記支持数を入力された前記チャネル識別子に対して入力された前記メッセージの中で当該語が出現したメッセージの数を分母とする式により重み付けした値を分子の構成要素に持ち、前記後に入力されたメッセージの数の分母の構成要素に持つ式によりスコア値を算出する手段と、
前記話題と前記スコアと入力された前記チャネル識別子とを関係付けて話題リスト記憶手段に格納する手段と、チャネル情報テーブル作成手段からなる提示話題語作成手段を有する装置における話題提示方法であって、
前記チャネル情報テーブル作成手段が、
前記前記話題リスト記憶手段に記憶されている話題を、チャネル毎にスコアの大きいものから順にチャネル識別子と対応付けて規定個数並べたチャネル情報テーブルを作成するステップと、
前記各チャネルの各話題について、当該話題を構成する語を記憶する話題構成語記憶手段を参照して、該チャネル情報テーブル上の話題のうち、前記各チャネルの各語について、当該チャネルの中の当該語が出現するメッセージの中で入力が最新のメッセージに関連付けられている時刻を記憶する語出現最新時刻記憶手段における時刻が、現時刻以前の規定時間内に存在しない語を抽出し、該語のみから構成される話題に対して、該チャネル情報テーブル上の条件に該当しない話題とは異なる表示形式で表示する命令を付与するステップと、
前記チャネル情報テーブルを、表示装置に出力するステップと、
を行うことを特徴とする話題提示方法。
【請求項４】
前記該チャネル情報テーブル上の条件に該当しない話題とは異なる表示形式で表示する命令として、
前記語出現最新時刻記憶手段における時刻が現時刻以前の規定時間内にない語のみから構成される話題に対して、フォントを小さくする、または、薄い表示色にする命令を用いる請求項３記載の話題提示方法。
【請求項５】
請求項１または、請求項２記載に記載された話題提示装置としてコンピュータを機能させることを特徴とする話題提示プログラム。
【請求項６】
請求項１または、請求項２記載に記載された話題提示装置としてコンピュータを機能させるプログラムを格納したことを特徴とする話題提示プログラムを格納した記憶媒体。
【請求項７】
テレビ放送を含む映像データとそれに付随する音声データを送出する送出装置からのデータを受信し、入力装置により入力されたデータを取得し、ネットワークを介した処理を行う情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置とを有し、
前記受信装置は、
前記チャネル情報テーブル提示装置により指定された送出装置の映像データと音声データを受信し、受信データを出力する手段を有し、
前記チャネル情報入力装置は、
前記入力装置より入力されるメッセージと指定されている送信装置を表すチャネル識別子を前記チャネル情報管理装置に出力する手段を有し、
前記チャネル情報管理装置は、
前記チャネル情報入力装置からの登録要求を含む入力に対して、入力されたメッセージに対して登録順序を表す登録番号と該メッセージが本装置に入力された時刻と入力されたチャネル識別子を関連付けてメッセージ記憶手段に記憶する手段と、
前記チャネル情報閲覧装置からの取得要求を含む入力に対して、入力されたチャネル識別子に対する登録番号付きのメッセージ群を前記チャネル情報閲覧装置へ出力する手段と、
前記チャネル情報収集装置からの取得要求を含む入力に対して、入力されたチャネル識別子に対する登録番号と時刻付きのメッセージ群を該チャネル情報収集装置へ出力する手段と、を有し、
前記チャネル情報閲覧装置は、
前記チャネル情報テーブル提示装置から指定されたチャネル識別子を前記チャネル情報管理装置に出力して、登録番号と時刻が付与されたメッセージ群を取得する手段と、
前記チャネル識別子に対する取得した前記メッセージ群を表示手段に出力する手段と、を有し、
前記チャネル情報収集装置は、前記チャネル情報管理装置から前記登録番号と時刻付きのメッセージ群を逐次取得する手段と、
前回の取得時からの差分のメッセージ群をチャネル識別子毎に登録番号の小さい順に、各メッセージに関連付けられている時刻とチャネル識別子と共に前記チャネル情報テーブル管理装置へ出力する手段と、を有し、
前記チャネル情報テーブル管理装置は、
前記チャネル情報収集装置からチャネル識別子と時刻が関連付けられてメッセージが入力された際、入力された該メッセージ及び該チャネル識別子に対して、予め定義された品詞パタンにマッチする話題群を求める手段と、
前記各メッセージの各話題に対して、該話題が出現したメッセージより後に入力されたチャネル識別子のメッセージにおいて、当該話題を構成する語が出現したメッセージの数を支持数として求める手段と、
前記支持数を入力された前記チャネル識別子に対して入力されたメッセージの中で当該語が出現したメッセージの数を分母とする式により重み付けした値を分子の構成要素に持ち、前記後に入力されたメッセージの数を分母の構成要素に持つ式によりスコア値を算出する手段と、
前記話題と前記スコアと入力された前記チャネル識別子とを関係付けて話題リスト記憶手段に格納する手段と、
前記各チャネルの各話題について、該話題を構成する語を記憶する話題構成語記憶手段と、
前記前記話題リスト記憶手段に記憶されている話題を、チャネル毎にスコアの大きいものから順にチャネル識別子と対応付けて規定個数並べたチャネル情報テーブルを作成し、前記話題構成語記憶手段を参照して、該チャネル情報テーブル上の話題のうち、前記語出現最新時刻記憶手段における時刻が現時刻以前の規定時間内に存在しない語を抽出し、該語のみから構成される話題に対して、該チャネル情報テーブル上の条件に該当しない話題とは異なる表示形式で表示する命令を付与して、該チャネル情報テーブルを、チャネル情報テーブル記憶手段に格納する手段と、
前記チャネル情報テーブル提示装置からの取得要求に対して、前記チャネル情報テーブル記憶手段から前記チャネル情報テーブルを取得して、該チャネル情報テーブル提示装置へ出力する手段と、を有し、
前記チャネル情報テーブル提示装置は、
前記チャネル情報テーブル管理装置へ取得要求を出力して、前記チャネル情報テーブルを取得し、取得した該チャネル応報テーブルを表示装置に出力する手段と、
前記入力装置より入力された送出装置を表すデータをチャネル識別子へ変換し、該チャネル識別子を前記受信装置と前記チャネル情報閲覧装置と前記チャネル情報入力装置へ出力する手段と、を有し、
前記入力装置は、
利用者が前記受信装置の出力を視聴しながら、入力した送出装置の出力に関するメッセージを前記チャネル情報入力装置に出力する手段と、前記チャネル情報テーブル提示装置から前記表示装置に出力された前記チャネル情報テーブルを参照することにより該利用者によって指定された受信対象とする送出装置を表すデータを該チャネル情報テーブル提示装置に送信する手段と、を有することを特徴とする話題提示システム。
【発明の詳細な説明】
【技術分野】
【０００１】
本発明は、話題提示方法及び装置及びシステム及びプログラム及びプログラムを格納した記憶媒体に係り、特に、提示版システムやチャットシステムなどのコミュニケーションシステムおいて話題を提供するための話題提示方法及び装置及びシステム及びプログラム及びプログラムを格納した記憶媒体に関する。
【背景技術】
【０００２】
掲示板システムやチャットシステムを用いたネットワーク上のコミュニケーションの場（チャネル）では、評判や問題解決、新しい視点、コミュニティ内の事件など、有益な情報が発生する。また同じ興味をもつ利用者が集まって会話するので会話も盛り上がり、会話を見ているだけでも会話の場を楽しむことができる。利用者は有益な情報の取得やそこでの会話を楽しむため、自分が日々利用するチャネルでどんな話題が盛り上がっているかをチェックする。
【０００３】
しかし、掲示板システムやチャットシステムを用いたコミュニケーションの場は、近年インターネットの普及に伴い増加している。そのためユーザが利用するチャネルも増加し、自分が日々参加しているチャネルでどんな話題が盛り上がっているかをチェックするのに多くの時間を要するようになってきている。
【０００４】
また、初めてその場を知ったユーザにとって、実際に参加して（覗いて）みないとそこで何が話されているかわからないのではその場への参加の敷居が高く、新規ユーザの取り込みが難しい。そのため、チャネルで最近どんな話題に興味が集まっているかをユーザが一目でわかるようにすることが望まれる。
【０００５】
掲示板システムやチャットシステムで話されている話題を提示する技術として、各チャネルに対して、その中のメッセージから用意された品詞のパタンにマッチする語の列を話題と見做して抜き出す方法がある。例えば、用意するパタンは名詞の連続や名詞間が「の」でつながる文字列等、利用者の興味を引くパタンである。そして、チャネル毎に、当該チャネルから抜き出した話題に対して、当該チャネルで目新しくてそのチャネルの最新のメッセージの付近でより蜜に発生しているほど高いスコアを付与し、スコアの高いものを選択する。
【０００６】
この手法は、抜き出した話題の中から目新しくて最新のメッセージの付近でより密に発生しているものを順に選択することにより、会話の進行に伴う話題の変化への追従性が高く、話題の動きの把握が容易である。また、複数の語で構成されている文字列が話題となり、具体的な話題が提示されるため、利用者は提示された話題が、自分が既知な話題であるかどうかの判断が付きやすい（例えば、特許文献１参照）。
【特許文献１】特開２００４−３４８４１５
【発明の開示】
【発明が解決しようとする課題】
【０００７】
上記従来の技術では、チャネル毎にそのチャネルの最新メッセージを基準として話題のスコアを求める。そのため、スコアが高くても利用者が見た時点で必ずしも最近会話された話題とは限らない。その結果、利用者が、利用者が見た時点での最近の話題であると思って会話の場へ行き、実際は古い話題であった場合、期待外れとなる問題がある。
【０００８】
この対処方法として、例えば、最終メッセージの投稿時間の提示があり得る。これにより、最終メッセージの投稿時刻が古い場合は、古い話題しかないということを利用者は把握可能となる。
【０００９】
しかし、この方法では、更新時刻が最近でも話題語がとれないような内容のないメッセージの投稿がある場合は対処できない。
【００１０】
また、メッセージの投稿時刻が利用者がみた時刻（システムが利用者に話題語を提示した時刻）の規定された一定期間内のメッセージのみを話題語の抽出対象として話題語を提示することにより、規定された範囲外の古い話題語が提示されないようにする方法もあり得る。
【００１１】
しかし、規定された期間内に話題語が存在しない場合、話題語が提示されない。その結果、利用者からすると、そのチャネルではどのような会話がされうるのかを把握できないので興味がわかず、その結果、利用者のチャネルへの来訪の障害となる。
【００１２】
本発明は、上記の点に鑑みなされたもので、チャネル内の会話の最後の方で利用者の興味が集まっている話題の把握と利用者が見た時点での最近の話題であるかを同時に把握可能とする話題提示方法及び装置及びシステム及びプログラム及びプログラムを格納した記憶媒体を提供することを目的とする。
【課題を解決するための手段】
【００１３】
図１は、本発明の原理構成図である。
【００１４】
本発明（請求項１）は、チャネル識別子と発生時刻が関係付けられて複数のチャネルのメッセージが、発生時刻が古い順に入力され、該入力において、入力された該メッセージ及び入力された該チャネル識別子に対して入力されたメッセージ群の中から予め定義された品詞パタンにマッチする話題群を求める手段と、
各メッセージの各話題に対して抽出された話題が出現したメッセージより後に入力された当該チャネル識別子のメッセージにおいて、当該話題を構成する語が出現したメッセージの数を支持数として求める手段と、
支持数を入力されたチャネル識別子に対して入力されたメッセージの中で当該語が出現したメッセージの数を分母とする式により重み付けした値を分子の構成要素に持ち、後に入力されたメッセージの数の分母の構成要素に持つ式によりスコア値を算出する手段と、
話題とスコアと入力されたチャネル識別子とを関係付けて話題リスト記憶手段１１０に格納する手段と、からなる提示話題語作成手段１０９を有する話題提示装置であって、
各チャネルの各話題について、当該話題を構成する語を記憶する話題構成語記憶手段１０８と、
各チャネルの各語について、当該チャネルの中の当該語が出現するメッセージの中で入力が最新のメッセージに関連付けられている時刻を記憶する語出現最新時刻記憶手段１０７と、
話題リスト記憶手段１１０に記憶されている話題を、チャネル毎にスコアの大きいものから順にチャネル識別子と対応付けて規定個数並べたチャネル情報テーブルを作成し、話題構成語記憶手段を参照して、該チャネル情報テーブル上の話題のうち、語出現最新時刻記憶手段における時刻が現時刻以前の規定時間内に存在しない語を抽出し、該語のみから構成される話題に対して、該チャネル情報テーブル上の条件に該当しない話題とは異なる表示形式で表示する命令を付与して、該チャネル情報テーブルを、表示装置に出力するチャネル情報テーブル作成手段１１１と、を有する。
【００１５】
また、本発明（請求項２）は、チャネル情報テーブル作成手段において、
該チャネル情報テーブル上の条件に該当しない話題とは異なる表示形式で表示する命令として、
語出現最新時刻記憶手段における時刻が現時刻以前の規定時間内にない語のみから構成される話題に対して、フォントを小さくする、または、薄い表示色にする命令を用いる。
【００１６】
図２は、本発明の原理を説明するための図である。
【００１７】
本発明（請求項３）は、チャネル識別子と発生時刻が関係付けられて複数のチャネルのメッセージが、発生時刻が古い順に入力され、該入力において、入力された該メッセージ及び入力された該チャネル識別子に対して入力されたメッセージ群の中から予め定義された品詞パタンにマッチする話題群を求める手段と、
各メッセージの各話題に対して抽出された話題が出現したメッセージより後に入力された当該チャネル識別子のメッセージにおいて、当該話題を構成する語が出現したメッセージの数を支持数として求める手段と、
支持数を入力されたチャネル識別子に対して入力されたメッセージの中で当該語が出現したメッセージの数を分母とする式により重み付けした値を分子の構成要素に持ち、後に入力されたメッセージの数の分母の構成要素に持つ式によりスコア値を算出する手段と、
話題とスコアと入力されたチャネル識別子とを関係付けて話題リスト記憶手段に格納する手段と、チャネル情報テーブル作成手段からなる提示話題語作成手段を有する装置における話題提示方法であって、
チャネル情報テーブル作成手段が、
話題リスト記憶手段に記憶されている話題を、チャネル毎にスコアの大きいものから順にチャネル識別子と対応付けて規定個数並べたチャネル情報テーブルを作成するステップ（ステップ１）と、
各チャネルの各話題について、当該話題を構成する語を記憶する話題構成語記憶手段を参照して、該チャネル情報テーブル上の話題のうち、各チャネルの各語について、当該チャネルの中の当該語が出現するメッセージの中で入力が最新のメッセージに関連付けられている時刻を記憶する語出現最新時刻記憶手段における時刻が、現時刻以前の規定時間内に存在しない語を抽出し、該語のみから構成される話題に対して、該チャネル情報テーブル上の条件に該当しない話題とは異なる表示形式で表示する命令を付与するステップ（ステップ２）と、
チャネル情報テーブルを、表示装置に出力するステップ（ステップ３）と、を行う。
【００１８】
また、本発明（請求項４）は、該チャネル情報テーブル上の条件に該当しない話題とは異なる表示形式で表示する命令として、
語出現最新時刻記憶手段における時刻が現時刻以前の規定時間内にない語のみから構成される話題に対して、フォントを小さくする、または、薄い表示色にする命令を用いる。
【００１９】
本発明（請求項５）は、請求項１または、請求項２記載に記載された話題提示装置としてコンピュータを機能させるプログラムである。
【００２０】
本発明（請求項６）は、請求項１または、請求項２記載に記載された話題提示装置としてコンピュータを機能させるプログラムを格納した記憶媒体である。
【００２１】
本発明（請求項７）は、テレビ放送を含む映像データとそれに付随する音声データを送出する送出装置からのデータを受信し、入力装置により入力されたデータを取得し、ネットワークを介した処理を行う情報処理システムであって、
受信装置、チャネル情報入力装置、チャネル情報管理装置、チャネル情報閲覧装置、チャネル情報収集装置、チャネル情報テーブル管理装置、チャネル情報テーブル提示装置とを有し、
受信装置は、
チャネル情報テーブル提示装置により指定された送出装置の映像データと音声データを受信し、受信データを出力する手段を有し、
チャネル情報入力装置は、
入力装置より入力されるメッセージと指定されている送信装置を表すチャネル識別子をチャネル情報管理装置に出力する手段を有し、
チャネル情報管理装置は、
チャネル情報入力装置からの登録要求を含む入力に対して、入力されたメッセージに対して登録順序を表す登録番号と該メッセージが本装置に入力された時刻と入力されたチャネル識別子を関連付けてメッセージ記憶手段に記憶する手段と、
チャネル情報閲覧装置からの取得要求を含む入力に対して、入力されたチャネル識別子に対する登録番号付きのメッセージ群をチャネル情報閲覧装置へ出力する手段と、
チャネル情報収集装置からの取得要求を含む入力に対して、入力されたチャネル識別子に対する登録番号と時刻付きのメッセージ群を該チャネル情報収集装置へ出力する手段と、を有し、
チャネル情報閲覧装置は、
チャネル情報テーブル提示装置から指定されたチャネル識別子をチャネル情報管理装置に出力して、登録番号と時刻が付与されたメッセージ群を取得する手段と、
チャネル識別子に対する取得したメッセージ群を表示手段に出力する手段と、を有し、
チャネル情報収集装置は、チャネル情報管理装置から登録番号と時刻付きのメッセージ群を逐次取得する手段と、
前回の取得時からの差分のメッセージ群をチャネル識別子毎に登録番号の小さい順に、各メッセージに関連付けられている時刻とチャネル識別子と共にチャネル情報テーブル管理装置へ出力する手段と、を有し、
チャネル情報テーブル管理装置は、
チャネル情報収集装置からチャネル識別子と時刻が関連付けられてメッセージが入力された際、入力された該メッセージ及び該チャネル識別子に対して、予め定義された品詞パタンにマッチする話題群を求める手段と、
各メッセージの各話題に対して、該話題が出現したメッセージより後に入力されたチャネル識別子のメッセージにおいて、当該話題を構成する語が出現したメッセージの数を支持数として求める手段と、
支持数を入力されたチャネル識別子に対して入力されたメッセージの中で当該語が出現したメッセージの数を分母とする式により重み付けした値を分子の構成要素に持ち、後に入力されたメッセージの数を分母の構成要素に持つ式によりスコア値を算出する手段と、
話題とスコアと入力されたチャネル識別子とを関係付けて話題リスト記憶手段に格納する手段と、
各チャネルの各話題について、該話題を構成する語を記憶する話題構成語記憶手段と、
話題リスト記憶手段に記憶されている話題を、チャネル毎にスコアの大きいものから順にチャネル識別子と対応付けて規定個数並べたチャネル情報テーブルを作成し、話題構成語記憶手段を参照して、該チャネル情報テーブル上の話題のうち、語出現最新時刻記憶手段における時刻が現時刻以前の規定時間内に存在しない語を抽出し、該語のみから構成される話題に対して、該チャネル情報テーブル上の条件に該当しない話題とは異なる表示形式で表示する命令を付与して、該チャネル情報テーブルを、チャネル情報テーブル記憶手段に格納する手段と、
チャネル情報テーブル提示装置からの取得要求に対して、チャネル情報テーブル記憶手段からチャネル情報テーブルを取得して、該チャネル情報テーブル提示装置へ出力する手段と、を有し、
チャネル情報テーブル提示装置は、
チャネル情報テーブル管理装置へ取得要求を出力して、チャネル情報テーブルを取得し、取得した該チャネル応報テーブルを表示装置に出力する手段と、
入力装置より入力された送出装置を表すデータをチャネル識別子へ変換し、該チャネル識別子を受信装置とチャネル情報閲覧装置とチャネル情報入力装置へ出力する手段と、を有し、
入力装置は、
利用者が受信装置の出力を視聴しながら、入力した送出装置の出力に関するメッセージをチャネル情報入力装置に出力する手段と、チャネル情報テーブル提示装置から表示装置に出力されたチャネル情報テーブルを参照することにより該利用者によって指定された受信対象とする送出装置を表すデータを該チャネル情報テーブル提示装置に送信する手段と、を有する。
【発明の効果】
【００２２】
本発明によれば、利用者が話題を見た時点での最新の話題であるかどうかを把握できるようになるので、日々そのチャネルを利用する利用者は規定期間内にない話題に対するチェックの排除が可能となり、チャネルのチェック効率向上という効果を得ることができる。
【００２３】
また、テレビの同じチャネルを見ている利用者同士で会話をするための会話の場が存在する状況においては、目立たなく表示されている話題は、放送中の番組の内容とずれている内容であることがわかるので、無駄なチャネルの切替えを無くすことができる。
【００２４】
更に、本発明によって提示される話題を定期的に記録し、話題の時間変化を見た場合、目立たない表示の話題のみ存在する期間には、利用者の興味を集めた話題がなかったことがわかるという効果が得られる。
【００２５】
更に、規定期間内に話題が存在していない場合も話題が提示され得るので、そのチャネルの存在を初めて知った利用者に対してはチャネル内の具体的な話題を知ることができる。利用者が提示されたそれらの話題に興味を持った場合、チャネルを来訪する可能性が生じるため、新規利用者の取り込み効果も得られる。
【発明を実施するための最良の形態】
【００２６】
以下、図面と共に本発明の実施の形態を説明する。
【００２７】
［第１の実施の形態］
図３は、本発明の第１の実施の形態における話題提示装置の構成を示す。
【００２８】
同図に示す話題提示装置１００は、キーボードやマウス等の入力装置１０と、ディスプレイである表示装置２０に接続されている。
【００２９】
話題提示装置１００は、カウンタ値記憶部１０２、形態素解析部１０３、パタン記憶部１０４、解析済みメッセージ記憶部１０５、出現メッセージ数記憶部１０６、語出現最新時刻記憶部１０７、話題構成語記憶部１０８、提示話題語作成部１０９、話題リスト記憶部１１０、チャネル情報テーブル作成部１１１、時間範囲記憶部１１２、表示話題数記憶部１１３、期間外話題表示形式記憶部１１４から構成される。
【００３０】
カウンタ値記憶部１０２は、メッセージの登録順序を把握するために、メッセージ登録毎に更新され、登録されたメッセージ数を表す整数値が記憶される。カウンタ値記憶部１０２の初期値は０である。
【００３１】
形態素解析部１０３は、入力装置１０から入力された文字列に対し、その文字列を単語分割し、それら単語とその品詞情報を出力する。本装置は、一般的に利用される装置であり、例えば、奈良先端科学技術大学院大学が提供する茶筌システムを当該形態素解析部１０３として利用可能である。
【００３２】
パタン記憶部１０４は、文字列データから抽出する文字列のパタンの定義を記憶する。例えば、品詞を用いた正規表現「（名詞（の）？）＋名詞」等を記憶する。当該パタンは、名詞の連続または名詞間の「の」が繋がる文字列を表す。
【００３３】
解析済みメッセージ記憶部１０５は、当該話題提示装置１００に入力されたメッセージに対するパタン記憶部１０４に記憶されているパタンにマッチする当該メッセージ中の話題群、及び話題群の各話題に対して当該話題を構成する語、及び当該メッセージを構成する語の情報を当該メッセージの登録要求時に付与されていたチャネル識別子と時刻と当該文字列データに対して付与されたカウンタ番号を関連付けて記憶する。図４に入力されたメッセージの例を示し、図５に記憶されるデータの例を示す。
【００３４】
出現メッセージ数記憶部１０６は、メセージ群における、それらのメッセージ群の中の各語に対して当該語の出現する各チャネルのメッセージ数を記憶する。図６に出現メッセージ記憶部に記憶されるデータの例を示す。
【００３５】
語出現最新時刻記憶部１０７は、各チャネルの各語について、当該チャネルの中の当該語が出現するメッセージの中で入力が最新のメッセージに関連付けられている時刻を記憶する。図７に語出現最新時刻記憶部に記憶されるデータ例を示す。本実施の形態では、便宜上、時刻はエポック秒で表すとする。エポック秒とは、ＧＭＴ（世界標準時）の１９７０年１月１日０時０秒からの秒数を表したものである。
【００３６】
話題構成語記憶部１０８は、上記の各チャネルの各話題について、当該話題を構成する語を記憶する。図８に話題構成語記憶部１０７に記録されるデータ例を示す。
【００３７】
提示話題語作成部１０９は、逐次登録されるメッセージから提示する話題を作成する。
【００３８】
提示話題語作成部１０９は、入力装置１０から入力された登録要求リストをメモリ（図示せず）に格納し、当該登録要求リストからチャネル識別子とメッセージと時刻取得し、チャネル識別子に対して入力されたメッセージ群の中からパタン記憶部１０４の品詞パタンにマッチする文字列群を話題群として求める。各メッセージの各話題に対して抽出された話題が出現したメッセージの後に入力された当該チャネル識別子のメッセージにおいて当該話題を構成する語が出現したメッセージの数を支持数として求める。支持数を入力されたチャネル識別子に対して入力されたメッセージの中で当該語が出現したメッセージの数を分母とする式により重み付けした値を分子の構成要素に持ち、後に入力されたメッセージの数を分母の構成要素に持つ式によりスコア値と入力されたチャネル識別子とを関係付けて話題リスト記憶部１１０に出力する。
【００３９】
また、抽出された各話題について当該話題語と話題を構成する語を関連付けて話題構成語記憶部１０８へ出力する。また、入力メッセージの各語について、語出現最新時刻記憶部１０７の入力チャネル識別子の語の値を入力として与えられた時刻に更新する。例えば、「花子の衣装は黄色のツナギです。」という入力メッセージの時刻に“１０４７８６５５１０（２００３／０３／１７−１０：４５：１０）”が関係付けられ、語出現最新時刻記憶部１０７中のメッセージと同一チャネル識別子に対する語「花子」の出現最新時刻が“１０４７８６４６１５（２００３／０３／１７／１０：３０：１５）”だった場合、語出現最新時刻記憶部１０７の当該チャネルの語「花子」の値を“１０４７８６５５１０”へ更新する。図７は、このように更新された語出現最新時刻記憶部１０７の例であり、図９に話題リスト記憶部１１０に記憶されるデータの例を示す。
【００４０】
なお、提示話題語作成部１０９の詳細な動作は後述する。
【００４１】
時間範囲記憶部１１２は、メッセージが発生してから利用者が見た時点で少なくともどれくらい時間が経過したものを、最近会話されていない話題とするかを規定するための時間長を記憶する。例えば、５分以内に会話されていない話題を区別するためには、例えば秒を単位とした“３００”を記憶する。
【００４２】
表示話題数記憶部１１３は、利用者に各チャネルにおいて提示する最大話題数を規定する整数を記憶する。例えば、各チャネルに対して３個の話題を提示する場合には“３”を記憶させる。
【００４３】
期間外話題表示形式記憶部１１４は、最近会話されていない話題を他と区別するための表示命令を記憶する。例えば、ＨＴＭＬ形式で表示を行う場合、フォントサイズや色を指定するタグを用いることが可能である。図１０に期間外話題表示形式記憶部１１４の例を示す。同図における“WADAI_P”は、後述する図１３のステップ２１６においてｗ（話題）に置換される。図１０の例はフォントを他と比べて３レベル小さく、かつ、灰色で表示する命令を表している。
【００４４】
チャネル情報テーブル作成部１１１は、提示話題語作成部１０９が作成した話題を最近会話されていない話題と区別できる形式で表す、チャネルとその話題を一覧するテーブルを作成し、表示する。詳細な動作について後述する。
【００４５】
図１１、図１２は、本発明の第１の実施の形態における提示話題語作成部の動作のフローチャートである。
【００４６】
ステップ１０１）  提示話題語作成部１０９は、終了指示があった場合には、以下の処理を終了する。
【００４７】
ステップ１０２）  メモリ（図示せず）内の登録要求リストが空であるかを判定し、空である場合には、ステップ１０１に戻る。
【００４８】
ステップ１０３）  登録要求リストを取得して、当該登録要求リストの先頭のチャネル識別子とメッセージと時刻の組を読み出す。読み出した組のチャネル識別子をＩＤ、メッセージをｄ、時刻をＡとする。読み出した当該組をメモリ（図示せず）の登録要求リストから削除する。
【００４９】
ステップ１０４）  カウンタ記憶部１０２からカウンタ値を読み出して、１加算し、Ｃとする（Ｃ＝Ｃ＋１）。対応するカウンタがない場合は、Ｃ＝１とする。カウンタ値Ｃをカウンタ記憶部１０２に格納する。
【００５０】
ステップ１０５）  メッセージ（ｄ）を形態素解析部１０３に出力し、語Ｓｉと品詞Ｔｉの対［Ｓｉ，Ｔｉ］を要素とするリストＬ＝［［Ｓ１，Ｔ１］，［Ｓ２，Ｔ２］，…］（メッセージ（ｄ）の先頭の語から順にＳ１，Ｓ２）を取得する。
【００５１】
ステップ１０６）  パタン記憶部１０４からパタンを読み出し、これをＰとする。
【００５２】
ステップ１０７）  メッセージ内の話題とその話題を構成する語の組を記憶するためのリストＲ，各話題を構成する語を記憶するためのリストＵ、提示話題候補を記憶するための文字列Ｓ，品詞文字列を記憶するための文字列Ｔ、メッセージ内の語を記憶するためのリストＷをメモリ（図示せず）に用意し、
Ｒ＝［］，Ｕ＝［］，Ｓ＝“”“”，Ｔ＝“”“”，Ｗ＝［］
とする。
【００５３】
ステップ１０８）  ｉ＝１とする。
【００５４】
ステップ１０９）  ｉ≦Ｌの要素数である場合には、ステップ１２０に移行し、そうでない場合は、ステップ１１０に移行する。
【００５５】
ステップ１１０）  メモリ（図示せず）において、品詞文字列を記憶するための文字列をＴ＝Ｔ＋Ｔｉとする。
【００５６】
ステップ１１１）  ステップ１１０で求められたＴに、ステップ１０６で取得したパタンＰにマッチしない部分が存在する場合には、ステップ１１２に移行し、マッチする場合はステップ１１５に移行する。
【００５７】
ステップ１１２）  Ｓ＝“”“”であるかを判定し、そうである場合には、ステップ１１３に移行し、そうでない場合にはステップ１１４に移行する。
【００５８】
ステップ１１３）  Ｔ＝“”“”とし、ステップ１１６に移行する。
【００５９】
ステップ１１４）  話題構成語記憶部１０８のＩＤ（チャネル識別子）のＳ（話題）の値にＵ（語）を出力し、ステップ１１６に移行する。
【００６０】
Ｒ＝Ｒ＋［［Ｓ，Ｕ］］
Ｓ＝“”“”，Ｔ＝“”“”，Ｕ＝［］
ステップ１１５）  メモリ（図示せず）において、提示話題候補を記憶するための文字列Ｓ、各話題を構成する語を記憶するためのリストＵ、品詞文字列を記憶するための文字列Ｔをそれぞれ、
Ｓ＝Ｓ＋Ｓｉ
Ｕ＝［Ｓｉ］＋Ｕ
Ｔ＝Ｔ＋Ｔｉ
とする。
【００６１】
ステップ１１６）  Ｓｉ∈Ｗである場合には、ステップ１１９に移行し、そうでない場合には、ステップ１１７に移行する。
【００６２】
ステップ１１７）  メッセージ内の語を記憶するためのリストＷを、Ｗ＝Ｗ＋［Ｓｉ］とする。
【００６３】
ステップ１１８）  出現メッセージ数記憶部１０６からＩＤ（チャネル識別子）のＳｉの値（出現メッセージ数）を読み出し、その値に１加算した値を出現メッセージ数記憶部１０６のＩＤのＳｉの値に出力する。出現メッセージ数記憶部１０６中に対応する値がない場合には、１を出力する。語出現最新時刻記憶部１０７のＩＤ（チャネル識別子）のＳｉの値にＡ（時刻）を出力する。
【００６４】
ステップ１１９）  ｉ＝ｉ＋１とし、ステップ１０９に移行する。
【００６５】
ステップ１２０）  Ｒ（メッセージ内の話題とその話題を構成する語の組を記憶するためのリスト）、ＩＤ（チャネル識別子）、Ｃ（カウンタ値），Ｗ（メッセージ内の語を記憶するためのリストＷ）を要素とするリストを作成し、解析済みメッセージとして解析済みメッセージ記憶部１０５に格納する。
【００６６】
ステップ１２１）  解析済みメッセージ記憶部１０５からＩＤを要素に含む解析済みメッセージ群Ｇを読み込み、ＩＤに関係付けられている各語の出現メッセージ数を出現メッセージ数記憶部１０６より読み込む。
【００６７】
ステップ１２２）  話題とそのスコアを記憶するためのリストＭ＝［］をメモリ（図示せず）上に用意する。
【００６８】
ステップ１２３）  メッセージ群Ｇの各解析済みメッセージｉ中の各話題Ｚijに対し、当該話題Zijを構成する各語kの支持数SUPPORTk（G内のメッセージ群の中で当該メッセージよりカウンタ値が大きい当該語kを有するメッセージ数）と、当該メッセージよりカウンタ値が大きいＧ内のメッセージの数ＲＥＳＴｉを求め、話題Zijを構成する語の数をＮijとし、
【００６９】
【数１】
2006350863.tif 000003
をスコアとして算出する。
【００７０】
ステップ１２４）  上記の各話題ｉｊをスコアｉｊと対にしてＭの要素として追加する。この際、既に当該話題ｉｊと同じ話題を要素に持つ対がＭ中に存在する場合は、Ｍ中の当該話題ｉｊのスコアのｖの方がスコアｉｊより小さい場合に限り、Ｍ中の話題ｉｊを持つ対を削除し、話題ｉｊとスコアｉｊを対にし、Ｍに追加する。
【００７１】
ステップ１２５）  話題リスト記憶部１１０にＩＤに対するリストが存在する場合は、話題リスト記憶部１１０から当該ＩＤに対するリストを削除する。スコアの値が大きい順にＭ中の対をソートし、ソート結果のリストとＩＤを対にして話題リスト記憶部１１０に格納し、ステップ１０１に戻る。
【００７２】
上記のステップ１２３において、各メッセージから最新メッセージまでの間での話題の発生密度に準ずる支持数を利用した値を求め、ステップ１２４で、各話題において当該支持数を利用した値の最大の値をスコアの値として採用することにより、会話の最後の方で利用者が集まっている話題のスコアが高くなりやすい。その結果、本発明では、利用者に提示される話題は会話の最後の方で利用者の興味が集まっている話題となりやすく、チャネルにおける会話の最後の方で利用者の興味が集まっている話題の把握が可能である。
【００７３】
次に、チャネル情報テーブル作成部１１１の動作について詳細に説明する。
【００７４】
図１３は、本発明の第１の実施の形態におけるチャネル情報テーブル作成部の処理のフローチャートである。
【００７５】
ステップ２０１）  チャネル情報テーブル作成部１１１は、話題リスト記憶部１１０に記憶されているデータをＬ、話題構成語記憶部１０８に記憶されているデータをＷ、語出現最新時刻記憶部１０７に記憶されているデータをＳ、表示話題数記憶部１１３に記憶されているデータをＮ、時間範囲記憶部１１２に記憶されているデータをTterm、期間外話題表示形式記憶部１１４に記憶されているデータをＦとして読み込む。
【００７６】
ステップ２０２）  Ｌｃ＝Ｌ上の各チャネル識別子を要素とするリスト、とする。
【００７７】
ステップ２０３）  終了指示が入力された場合には、当該処理を終了する。
【００７８】
ステップ２０４）  Ｔcurrent＝現在時刻とし、チャネル識別子と提示する話題のリストの対を記憶するためのリストＲ＝［］とする。Ｃ＝Ｌｃとする。
【００７９】
ステップ２０５）  メモリ（図示せず）上のＣが空リストであるかを判定し、空リストである場合は、ステップ２０９に移行し、そうでない場合にはステップ２０６に移行する。
【００８０】
ステップ２０６）  チャネル識別子ｃ’＝Ｃの先頭要素とし、Ｃ＝Ｃから先頭要素を除いたリスト、Ｌ’＝ｃ’のＬ上の要素（話題）をスコアの値が大きい順に先頭からＮ個並べたリスト、とし、テーブル上のチャネルの話題のリストを記憶するためのリストＬ”＝［］、をメモリ（図示せず）に設定する。
【００８１】
ステップ２０７）  Ｌ’が空リストであるか判定し、空リストである場合には、ステップ２０８に移行し、そうでない場合はステップ２１０に移行する。
【００８２】
ステップ２０８）  リストＲを、Ｒ＝Ｒ＋［［ｃ’，Ｌ”］］とし、ステップ２０５に移行する。
【００８３】
ステップ２０９）  リストＲをチャネル識別子を項目とし、リストＲのチャネル識別子の話題のリストの要素を要素毎に区切って並べた文字列を対応するチャネル識別子の項目の値とする表示用テーブルを作成し、表示装置２０へ出力し、ステップ２０３に移行する。
【００８４】
ステップ２１０）  ｗ’＝Ｌ’の先頭要素の話題、Ｌ’＝Ｌ’から先頭要素を除いたリスト、Ｌｋ＝ＷのＣ’を構成する語を要素とするリスト、とする。
【００８５】
ステップ２１１）  Ｌｋは空リストであるかを判定し、空リストである場合はステップ２０７に移行し、そうでない場合は、ステップ２１２に移行する。
【００８６】
ステップ２１２）  ｋ＝Ｌｋの先頭要素、Ｌｋ＝Ｌｋから先頭要素を除いたリスト、とする。
【００８７】
ステップ２１３）  Ｔcurrent−（Ｓのｃ’のｋの値）≦Ｔtermである場合は、ステップ２１４に移行し、そうでない場合には、ステップ２１５に移行する。ここで、Ｓのｃ’のｋの値が存在しない場合はＳのｃ’のｋの値を０として計算する。
【００８８】
ステップ２１４）  Ｌ”＝Ｌ”＋［ｗ’］、Ｌｋ＝［］とし、ステップ２１１に移行する。
【００８９】
ステップ２１５）  Ｌｋが空リストであるかを判定し、空リストである場合は、ステップ２１６に移行し、そうでない場合は、ステップ２１１に移行する。
【００９０】
ステップ２１６）  データＦの所定の場所にｗ’を埋め込んだ文字列ｍを作成し、Ｌ”＝Ｌ”＋［ｍ］とし、ステップ２１１に移行する。
【００９１】
上記のステップ２１１〜ステップ２１６において、提示する話題の中から時間範囲記憶部１１２に記憶されている時間長内で会話されていない話題を特定し、期間外話題表示形式記憶部１１４に記憶されている文字列にそれらを埋め込むことでそれらの話題を他の話題と区別可能なテーブルを作成する。
【００９２】
例えば、表示する話題が「山田太郎」、「山田花子」「芸人出世街道」であり、話題の構成する語の語出現最新時刻が、「山田＝１０４８０３８２１５」、「太郎＝０４８０３８７２５」，「花子＝０４８０３８６９３」、「芸人＝１０４８０３７７２３」、「出世＝１０４８０３７９０４」、「街道＝１０４８０３７７１０」であり時間範囲記憶部１１４に記憶されている時間長が５分（３００秒）であり、ステップ２０４における現時刻が“１０４８０３８９０２”とした場合、構成語「芸人」、「出世」、「街道」が全て３００秒以内にない話題「芸人出世街道」に対して、期間外話題表示形式記憶部１１４の期間外話題表示形式を適用する。そして、頻繁にチャネル情報テーブルを作成し、表示装置２０へテーブルを出力して利用者が見るテーブルを更新することにより、利用者がテーブルを見た時点から時間範囲記憶部１１２に記憶されている時間長内の過去において会話に登らなくなった話題を速やかに区別できる状態にしている。
【００９３】
図１４は、本発明の第１の実施の形態における表示用テーブルの例を示し、図１５は、本発明の第１の実施の形態における表示されるテーブルの例を示す。
【００９４】
規定時間内に会話に登らなかった話題は目立たないように表示されるため、それら話題を区別しやすいことは明らかである。
【００９５】
なお、本実施の形態において、チャネル識別子として会話の場を表すＵＲＬを用いることは、利用者に提示するテーブルに会話の場のリンクを入れて利用者を会話の場へ１クリックで誘導できるため、好適である。
【００９６】
［第２の実施の形態］
本実施の形態では、話題提示システムについて説明する。
【００９７】
図１６は、本発明の第２の実施の形態における話題提示システムの構成を示す。
【００９８】
同図に示す話題提示システムは、送出装置１３１、入力装置１３２、表示装置１３３、情報処理システム１３０から構成される。
【００９９】
送出装置１３１は、テレビ放送等の映像データとそれに付随する音声データを送出する装置であり、テレビ放送局や映像配信サーバ等である。
【０１００】
入力装置１３２は、キーボードやマウス、リモコンなどである。
【０１０１】
表示装置１３３は、例えば、一般のパーソナルコンピュータの出力を表示可能なディスプレイである。
【０１０２】
情報処理システム１３０は、チャネル情報テーブル提示装置２４０、受信装置１４０、チャネル情報閲覧装置２００、チャネル情報入力装置１６０、チャネル情報テーブル管理装置２６０、チャネル情報収集装置２２０、チャネル情報テーブル管理装置２４０から構成される。
【０１０３】
受信装置１４０は、図１７に示すように、受信部１４１、音声処理部１４２、映像処理部１４３を有し、受信部１４１は、音声・映像データを受信するアンテナ１４５とチャネル情報テーブル提示装置２４０からの出力（チャネル識別子）を記憶する出力記憶部１４４に接続され、音声処理部１４２はスピーカ１４６に接続され、映像処理部１４３は表示装置１４７に接続され、指定された送出装置の出力データを再生する。受信装置１４０は、一般的なテレビ受信機やテレビチューナ付パーソナルコンピュータにより実現可能である。
【０１０４】
図１８は、本発明の第２の実施の形態における受信装置の動作のフローチャートである。
【０１０５】
同図（ａ）は、受信部１４１の処理フローであり、（ｂ）は、音声処理部１４２の処理フローであり、（ｃ）は映像処理部１４３の処理フローである。
【０１０６】
まず、受信部１４１の動作を説明する。
【０１０７】
ステップ３０１）  受信部１４１は、終了指示が入力された場合は当該処理を終了する。
【０１０８】
ステップ３０２）  チャネル情報テーブル提示装置２４０の出力記憶部（図示せず）にチャネル識別子の入力があった場合には、ステップ３０４に移行し、なかった場合は、ステップ３０３に移行する。
【０１０９】
ステップ３０３）  出力対象として設定されている送出装置があるかを判定し、ある場合はステップ３０５に移行し、ない場合はステップ３０１に戻る。
【０１１０】
ステップ３０４）  チャネル情報テーブル提示装置２４０の出力記憶部（図示せず）よりチャネル識別子を読み込み、チャネル識別子を出力対象に設定する。また、チャネル情報テーブル提示装置２４０の出力記憶部（図示せず）の内容をクリアする。
【０１１１】
ステップ３０５）  出力対象として設定されている送出装置の映像データと音声データを映像処理部１４３と音声処理部１４２にそれぞれ出力する。
【０１１２】
次に、音声処理部１４２の動作を説明する。
【０１１３】
ステップ３１０）  終了指示が入力された場合は当該処理を終了する。
【０１１４】
ステップ３１１）  音声処理部１４２で入力された音声データを再生するための種々の処理を行った結果をスピーカ１４６に出力する。
【０１１５】
次に、映像処理部１４３の動作を説明する。
【０１１６】
ステップ３２０）  終了指示が入力された場合は当該処理を終了する。
【０１１７】
ステップ３２１）  映像処理部１４３で入力された映像データを再生するための種々  の処理を行った結果をディスプレイに出力する。
【０１１８】
次に、チャネル情報入力装置１６０について説明する。
【０１１９】
図１９は、本発明の第２の実施の形態におけるチャネル情報入力装置の構成を示す。
【０１２０】
チャネル情報入力装置１６０は、チャネル情報テーブル管理装置２６０へ受信している番組に関連するメッセージを登録するためのものであり、入力装置１３２から入力されたデータを記憶する入力文字記憶部１６４、チャネル情報テーブル提示装置２４０から入力されたチャネル識別子を記憶する指定識別子記憶部１６５、登録処理を行う登録処理部１６１から構成される。
【０１２１】
登録処理部１６１は、表示装置１３３、チャネル情報テーブル提示装置２４０からの出力（チャネル識別子）を記憶する出力記憶部１６２、入力装置１３２からの出力（メッセージ・時刻）を記憶するデータ記憶部１６３及び、チャネル情報管理装置１８０への入力（チャネル識別子、メッセージ）を記憶する入力記憶部１６６に接続されている。
【０１２２】
次に、上記の構成のチャネル情報入力装置１６０の動作を説明する。
【０１２３】
図２０は、本発明の第２の実施の形態におけるチャネル情報入力装置の動作のフローチャートである。
【０１２４】
ステップ４０１）  終了指示が入力された場合は、処理を終了する。
【０１２５】
ステップ４０２）  登録処理部１６１は、一定時間チャネル情報テーブル提示装置２４０からの入力を待機する。
【０１２６】
ステップ４０３）  チャネル情報テーブル提示装置からの出力記憶部１６２を介して、チャネル情報テーブル提示装置２４０からの入力があった場合は、ステップ４０４に移行し、ない場合は、ステップ４０４に移行する。
【０１２７】
ステップ４０４）  登録処理部１６１は、入力データをチャネル識別子へ変換する。
【０１２８】
ステップ４０５）  登録処理部１６１は、指定識別子記憶部１６５の内容をクリアし、チャネル識別子を指定識別子記憶部１６５に格納し、ステップ４０１に移行する。
【０１２９】
ステップ４０６）  チャネル情報テーブル提示装置２４０からの入力がない場合は、一定時間、入力装置１３２からの入力を待機する。
【０１３０】
ステップ４０７）  入力装置からの出力データ記憶部１６３を介して、入力装置１３２からの入力があった場合はステップ４０８に移行し、ない場合はステップ４０１に移行する。
【０１３１】
ステップ４０８）  入力装置１３２から出力を１文字読み込む。
【０１３２】
ステップ４０９）  読み込み文字が、入力解釈指示記号である場合は、ステップ４１０に移行し、そうでない場合はステップ４１２に移行する。
【０１３３】
ステップ４１０）  指定識別子記憶部１６５からチャネル識別子を読み込み、入力文字記憶部１６４中の文字列と対にして、チャネル情報管理装置への入力記憶部１６６を介して、チャネル情報テーブル管理装置２６０へ出力する。
【０１３４】
ステップ４１１）  入力文字記憶部１６４の内容をクリアし、ステップ４０１に移行する。
【０１３５】
ステップ４１２）  入力装置１３２から入力された文字を表示装置１３３に出力する。
【０１３６】
ステップ４１３）  読み込み文字を入力文字記憶部１６４中の文字列終端にアペンドし、ステップ４０１に移行する。
【０１３７】
次に、チャネル情報管理装置１８０について説明する。
【０１３８】
チャネル情報管理装置１８０は、利用者が入力したメッセージ群を記憶し、参照要求に応じて指定されたチャネル識別子の記憶しているメッセージ群を要求元へ提供する機能を有する。
【０１３９】
図２１は、本発明の第２の実施の形態におけるチャネル情報管理装置の構成を示す。
【０１４０】
チャネル情報管理装置１８０は、カウンタ記憶部１８５、要求処理部１８６、メッセージ記憶部１８７を有し、要求処理部１８６は、複数のチャネル情報入力装置１３６からの出力（登録要求、チャネル識別子、メッセージ）を記憶する複数の出力記憶部１６６、複数のチャネル情報閲覧装置２００からの出力（取得要求、チャネル識別子）を記憶する複数の出力記憶部１８１、複数のチャネル情報閲覧装置２００への入力（カウンタ値とメッセージと時刻の組の群）を記憶する複数の入力記憶部１８２、チャネル情報収集装置２２０からの出力（取得要求、チャネル識別子）を記憶する出力記憶部１８３、チャネル情報収集装置２２０への入力（カウンタ値とメッセージと時刻の組の群）を記憶する入力記憶部１８４と接続されている。
【０１４１】
図２２に、チャネル情報管理装置１８０のメッセージ記憶部１８７に記憶されるデータ例を示す。なお、カウンタ値は登録順序を表し、登録番号に相当する。
【０１４２】
次に、上記のチャネル情報管理装置１８０の動作を説明する。
【０１４３】
図２３は、本発明の第２の実施の形態におけるチャネル情報管理装置の動作のフローチャートである。
【０１４４】
ステップ５０１）  終了指示が入力された場合は、処理を終了する。
【０１４５】
ステップ５０２）  入力があった場合は、ステップ５０３に移行し、ない場合はステップ５０１に戻る。ここで、入力とは、チャネル情報入力装置からの出力記憶部１６６を介して入力される登録要求、チャネル情報閲覧装置からの出力記憶部１８１を介して入力される取得要求のいずれかである。
【０１４６】
ステップ５０３）  入力が登録要求かを判定し、登録要求である場合はステップ５０６に移行し、そうでない場合はステップ５０４に移行する。
【０１４７】
ステップ５０４）  入力が取得要求である場合は、ステップ５０５に移行し、そうでない場合はステップ５０１に戻る。
【０１４８】
ステップ５０５）  要求処理部１８６は、入力されたチャネル識別子に対するカウンタ値と時刻付のメッセージ群をメッセージ記憶部１８７から読み込み、チャネル情報閲覧装置への入力記憶部１８２を介して要求元に出力し、ステップ５０１に戻る。
【０１４９】
ステップ５０６）  ステップ５０３において、登録要求であった場合は、要求処理部１８６は、カウンタ記憶部１８５から値を読み出し、１加算してｖとする。カウンタ記憶部１８５のデータをクリアし、ｖをカウンタ記憶部１８５に格納する。
【０１５０】
ステップ５０７）  チャネル識別子ｉと文字列データｄを、チャネル情報入力装置からの出力記憶部１６６を介して入力された登録要求から取得し、ｖ，ｉ，ｄと現時刻ｔとを関連付けてメッセージ記憶部１８７に格納し、ステップ４０１に戻る。
【０１５１】
次に、チャネル情報閲覧装置２００について説明する。
【０１５２】
チャネル情報閲覧装置２００は、利用者に当該利用者及び他の利用者が入力したメッセージの閲覧を可能にするためのものである。
【０１５３】
図２４は、本発明の第２の実施の形態におけるチャネル情報閲覧装置の構成を示す。
【０１５４】
チャネル情報閲覧装置２００は、閲覧制御部２０４を有し、チャネル情報テーブル提示装置２４０からの出力（チャネル識別子）を記憶する出力記憶部２０１、表示装置１３１、チャネル情報管理装置１８０への入力（チャネル識別子）を記憶する入力記憶部２０２、チャネル情報管理装置１８０からの出力（カウンタ値と時刻付きのメッセージ群）を記憶する出力記憶部２０３が接続されている。
【０１５５】
次に、上記の構成における動作を説明する。
【０１５６】
図２５は、本発明の第２の実施の形態におけるチャネル情報閲覧装置の動作のフローチャートである。
【０１５７】
ステップ６０１）  終了指示が入力された場合は処理を終了する。
【０１５８】
ステップ６０２）  閲覧制御部２０４は、チャネル情報テーブル提示装置からの出力記憶部２０１を介して、チャネル識別子が入力された場合はステップ６０３に移行し、そうでない場合はステップ６０１に戻る。
【０１５９】
ステップ６０３）  入力されたチャネル識別子をチャネル情報管理装置１８０へ、チャネル情報管理装置への入力記憶部２０２を介して出力し、カウンタ値と時刻付メッセージをチャネル情報管理装置１８０からチャネル情報管理装置からの出力記憶部２０３を介して取得する。
【０１６０】
ステップ６０４）  カウンタ値と時刻付メッセージ群のメッセージをカウンタ値の小さい順に表示装置１３１に出力し、ステップ６０１に移行する。なお、カウンタ値は登録番号に相当する。
【０１６１】
次に、チャネル情報収集装置２２０について説明する。
【０１６２】
チャネル情報雄収集装置２２０は、チャネル情報管理装置１８０に記憶されているメッセージをチャネル情報テーブル管理装置２６０へ入力するためのものである。
【０１６３】
図２６は、本発明の第２の実施の形態におけるチャネル情報収集装置の構成を示す。
【０１６４】
チャネル情報収集装置２２０は、チャネルリスト記憶部２２１、収集制御部２２２、履歴記憶部２２３を有し、収集制御部２２２は、チャネル情報管理装置１８０への入力（チャネル識別子）を記憶する入力記憶部１８４と、チャネル情報管理装置１８０からの出力（チャネル識別子とカウンタ値と時刻が関連付けられたメッセージ群）を記憶する出力記憶部１８３、チャネル情報テーブル管理装置２６０への入力（チャネル識別子とカウンタ値と時刻が関連付けられたメッセージ群）を記憶する入力記憶部２２４に接続されている。
【０１６５】
図２７は、本発明の第２の実施の形態におけるチャネル情報収集装置の動作のフローチャートである。
【０１６６】
ステップ７０１）  チャネル情報収集装置２２０の収集制御部２２２は、チャネル識別子リスト記憶部２２１からチャネル識別子群Ｌを読み込む。
【０１６７】
ステップ７０２）  終了指示があった場合は、処理を終了する。
【０１６８】
ステップ７０３）  収集制御部２２２は、メモリ（図示せず）上で、ｉ＝１，ｎ＝Ｌの要素数とする。
【０１６９】
ステップ７０４）  ｉ≦ｎであればステップ７０５に移行し、そうでなければステップ７０２に戻る。
【０１７０】
ステップ７０５）  収集制御部２２２は、チャネル情報管理装置１８０への取得要求とチャネル識別子Ｈｉ∈Ｌを、チャネル情報管理装置への入力記憶部１８４を介して出力し、カウンタ値と時刻付のメッセージ群Ｇを、チャネル情報管理装置からの出力記憶部１８３を介して取得する。
【０１７１】
ステップ７０６）  メッセージ群Ｇ中のメッセージに付与されている最大のカウンタ値をＣmaxとする。
【０１７２】
ステップ７０７）  収集制御部２２２は、履歴記憶部２２３よりＨｉのカウンタ値を読み込み、メモリ（図示せず）上においてｃとする。
【０１７３】
ステップ７０８）  Ｃmax＞ｃである場合は、ステップ７０９に移行し、そうでない場合は、ステップ７１１に移行する。
【０１７４】
ステップ７０９）  収集制御部２２２は、カウンタ値がｃ＋１からCｍａｘまでのメッセージ群Ｇ中のカウンタ値と時刻付のメッセージをカウンタ値が小さい順に１つずつチャネル情報テーブル管理装置２６０へチャネル識別子Ｈｉと共に、チャネル情報テーブル管理装置への入力記憶部２２４を介して出力する。
【０１７５】
ステップ７１０）  収集制御部２２２は、履歴記憶部２２３のＨｉのカウンタ値にＣmaxを出力する。
【０１７６】
ステップ７１１）  ｉ＝ｉ＋１として、ステップ７０４に移行する。
【０１７７】
次に、チャネル情報テーブル管理装置２６０について説明する。
【０１７８】
チャネル情報テーブル管理装置２６０は、各番組について会話が行われている会話内容を推測しやすい一覧テーブルを作成するためのものである。
【０１７９】
図２８は、本発明の第２の実施の形態におけるチャネル情報テーブル管理装置の構成を示す。
【０１８０】
チャネル情報テーブル管理装置２６０は、前述の第１の実施の形態における図３に示す構成に、制御部２６１、チャネル情報テーブル記憶部２６３が加えられた構成である。図３と同一構成部分には同一符号を付し、その説明を省略する。
【０１８１】
チャネル情報テーブル管理装置２６０の制御部２６１は、チャネル情報収集装置２２０からの出力（チャネル識別子、メッセージ、時刻）を記憶する複数の出力記憶部２６４、チャネル情報テーブル提示装置２４０からの出力（取得要求）を記憶する複数の出力記憶部２６５、チャネル情報テーブル提示装置２４０への入力（チャネル情報テーブル）を記憶する複数の入力記憶部２６６と、が接続されている。
【０１８２】
図２９は、本発明の第２の実施の形態におけるチャネル情報管理装置の動作のフローチャートである。
【０１８３】
ステップ８０１）  終了指示があった場合は処理を終了する。
【０１８４】
ステップ８０２）  制御部２６１は、チャネル情報収集装置２２０からの出力記憶部２６４を介して、チャネル情報収集装置２２０からの出力（チャネル識別子、メッセージ、時刻）があったかを判定し、あった場合は、ステップ８０３に移行し、ない場合はステップ８０４に移行する。
【０１８５】
ステップ８０３）  制御部２６１は、チャネル情報収集装置２２０からの出力を読み込み、入力部１０（登録要求リスト）へ追加し、チャネル情報収集装置２２０からの出力記憶部２６４のデータをクリアし、ステップ８０１に戻る。
【０１８６】
ステップ８０４）  ｉ＝１とする。
【０１８７】
ステップ８０５）  制御部２６１は、ｉ≦チャネル情報テーブル提示装置数であるかを判定し、そうである場合は、ステップ８０６に移行し、そうでない場合はステップ８０１に戻る。
【０１８８】
ステップ８０６）  制御部２６１は、チャネル情報テーブル提示装置ｉからの出力記憶部２６５に入力があったかを判定し、あった場合はステップ８０７に移行し、ない場合はステップ８０８に移行する。
【０１８９】
ステップ８０７）  制御部２６１は、チャネル情報テーブル提示装置ｉからの出力記憶部２６５からテーブルを読み込み、チャネル情報テーブル提示装置ｉへの入力記憶部２６６へ出力し、チャネル情報テーブル提示装置ｉからの出力記憶部２６５のデータをクリアする。
【０１９０】
ステップ８０８）  ｉ＝ｉ＋１とし、ステップ８０５に移行する。
【０１９１】
次に、チャネル情報テーブル管理装置２６０のチャネル情報テーブル作成部１１１の動作を説明する。チャネル情報テーブル作成部１１１は、チャネル情報テーブルの出力をチャネル情報テーブル記憶部２６３に出力するが、基本的には前述の第１の実施の形態と同様である。
【０１９２】
図３０は、本発明の第２の実施の形態におけるチャネル情報テーブル管理装置のチャネル情報テーブル作成部の動作のフローチャートである。
【０１９３】
ステップ８１１）チャネル情報テーブル作成部１１１は、話題リスト記憶部１１０に記憶されているデータをＬ、話題構成語記憶部１０８に記憶されているデータをＷ、語出現最新時刻記憶部１０７に記憶されているデータをＳ、表示話題数記憶部１１３に記憶されているデータをＮ、時間範囲記憶部１１２に記憶されているデータをTterm、期間外話題表示形式記憶部１１４に記憶されているデータをFとして、メモリ（図示せず）上に取り込む。
【０１９４】
ステップ８１２）  Ｌｃ=Ｌ上の各チャネル識別子を要素とするリストをメモリ（図示せず）に設定する。
【０１９５】
ステップ８１３）  終了指示があった場合は処理を終了する。
【０１９６】
ステップ８１４）  Ｔcurrent＝現在時刻、Ｒ＝［］（チャネル識別子と提示する話題の対を記憶するためのリスト）、Ｃ＝Ｌｃとする。
【０１９７】
ステップ８１５）  Ｃが空リストであるかを判定し、空である場合はステップ８１９に移行し、空でない場合はステップ８１６に移行する。
【０１９８】
ステップ８１６）  メモリ（図示せず）上において、ｃ’＝Ｃの先頭要素（チャネル識別子）、Ｃ＝Ｃから先頭要素を除いたリスト、Ｌ’＝ｃ’のＬ上の要素（話題）をスコアの値が大きい順に先頭からＮ個並べたリスト、Ｌ”＝［］（テーブル上のチャネルの話題のリストを記憶するためのリスト）とする。
【０１９９】
ステップ８１７）  Ｌ’が空リストであるかを判定し、そうである場合にはステップ８１８に移行し、そうでない場合はステップ８２０に移行する。
【０２００】
ステップ８１８）  Ｒ＝Ｒ＋［［ｃ’，Ｌ”］］とし、ステップ８１５に戻る。
【０２０１】
ステップ８１９）  ステップ８１５において、Ｃが空リストである場合は、リストＲをチャネル識別子を項目とし、リストＲのチャネル識別子の話題のリストの要素を要素毎に区切って並べた文字列を対応するチャネル識別子の項目の値とする表示用テーブルを作成し、チャネル情報テーブル記憶部２６３へ出力する。
【０２０２】
ステップ８２０）  ステップ８１７において、Ｌ’が空リストである場合は、メモリ（図示せず）上で、Ｗ’＝Ｌ’の先頭要素の話題、Ｌ’＝Ｌ’から先頭要素を除いたリスト、Ｌｋ＝Ｗのｃ’話題ｗ’を構成する語を要素とするリスト、とする。
【０２０３】
ステップ８２１）  Ｌｋが空リストであるかを判定し、空リストである場合はステップ８１７に戻り、そうでない場合はステップ８２２に移行する。
【０２０４】
ステップ８２２）  メモリ（図示せず）上で、ｋ＝Ｌｋの先頭要素、Ｌｋ＝Ｌｋから先頭要素を除いたリスト、とする。
【０２０５】
ステップ８２３）  Ｔcurrent−（Ｓのｃ’のｋの値）≦Ｔtermであるか判定し、そうである場合は、ステップ８２４に移行し、そうでない場合はステップ８２５に移行する。
なお、Ｓのｃ’のｋの値が存在しない場合はＳのｃ’のｋの値を０として計算する。
【０２０６】
ステップ８２４）  Ｌ”＝Ｌ” ＋［ｗ’］，Ｌｋ＝［］とし、ステップ８１２に戻る。
【０２０７】
ステップ８２５）  ステップ８２３において、Ｔcurrent−（Ｓのｃ’のｋの値）≦Ttermでない場合は、Ｌkが空リストであるかを判定し、空リストである場合はステップ８２６に移行し、そうでない場合はステップ８２１に戻る。
【０２０８】
ステップ８２６）  Ｆの所定の場所にｗ’を埋め込んだ文字列ｍを作成し、Ｌ”＝Ｌ”＋［ｍ］、とし、ステップ８２１に戻る
上記のように、チャネル情報テーブル管理装置２６０は、制御部２６１により、登録要求や取得要求を処理する。制御部２６１は、例えば、登録要求「（put CH1 山田太郎と山田花子がでてきた 1047864615）や取得要求「(get)」を入力とする。
【０２０９】
チャネル情報テーブル記憶部２６３に記憶されるテーブルは、前述の第１の実施の形態における、図１４と同様である。
【０２１０】
次に、チャネル情報テーブル提示装置２４０について説明する。
【０２１１】
チャネル情報テーブル提示装置２４０は、最新のチャネル情報テーブルをチャネル情報テーブル管理装置２６０から取得して利用者に提示すると共に、利用者に送出装置を選択する手段を提供する。
【０２１２】
図３１は、本発明の第２の実施の形態におけるチャネル情報テーブル提示装置の構成を示す。
【０２１３】
チャネル情報テーブル提示装置２４０は、提示処理部２４５を有する。
【０２１４】
提示処理部２４５は、表示装置１３３、入力装置１３２からの出力（入力データ）を記憶する出力記憶部２４１、チャネル情報テーブル管理装置２６０への入力（テーブル取得要求）を記憶する入力記憶部２４６、チャネル情報テーブル管理装置２６０からの出力（チャネル情報テーブル）を記憶する出力記憶部２４７、受信装置１４０への入力（チャネル識別子）を記憶する入力記憶部２４２、チャネル閲覧装置２００への入力（チャネル識別子）を記憶する入力記憶部２４３、チャネル情報入力装置１６０への入力（チャネル識別子）を記憶する入力記憶部２４４と接続される。
【０２１５】
図３２は、本発明の第２の実施の形態におけるチャネル情報テーブル提示装置の動作のフローチャートである。
【０２１６】
ステップ９０１）  終了指示があった場合は、処理を終了する。
【０２１７】
ステップ９０２）  入力装置からの出力記憶部２４１を介して入力装置１３２から入力があった場合は、ステップ９０３に移行し、入力されていない場合は、ステップ９０６に移行する。
【０２１８】
ステップ９０３）  提示処理部２４５は、入力データをチャネル識別子に変換する。
【０２１９】
ステップ９０４）  変換が成功したならばステップ９０５に移行し、失敗した場合にはステップ９０１に戻る。
【０２２０】
ステップ９０５）  提示処理部２４５は、チャネル識別子を受信装置１４０、チャネ閲覧装置２００、チャネル情報入力装置１６０へ出力記憶部２４２，２４３，２４４を介して出力し、ステップ９０１に移行する。
【０２２１】
ステップ９０６）  ステップ９０２において、入力装置１３２からの入力がなかった場合は、チャネル情報テーブル管理装置２６０へ入力記憶部２４６を介してテーブル取得要求を出力し、出力記憶部２４７を介してチャネル情報テーブルを取得する。
【０２２２】
ステップ９０７）  チャネル情報テーブルを表示装置１３３に出力する。
【０２２３】
表示装置１３３に表示される形式は、前述の第１の実施の形態と同様のものであってもよい。
【０２２４】
利用者番組の進行に則した会話を行った場合、表示装置１３３に表示される話題は、番組の内容を反映したものとなり、画面には番組の進行に合わせた内容を推測しやすい比較的短い文字列で表された番組の一覧表が表示される。
【０２２５】
利用者は、画面のチャネル名が表示されているエリアをマウス等で選択して、受信対象とする送出装置の指定を行う。チャネル情報テーブル提示装置２４０への入力として座標が与えられている場合は、例えば、各送出装置の表示領域を定める座標を規定するテーブルを予め用意しておき、図３２のステップ９０３では、入力された座標を当該テーブルを参照することにより送出装置を表す入力データをチャネル識別子へ変換する。
【０２２６】
チャネル情報テーブル提示装置２４０とチャネル情報閲覧装置２００とチャネル情報入力装置１６０は、キーボードやマウス等の入力手段、ディスプレイなどの映像出力手段を有するネットワークに接続された市販の１台のパーソナルコンピュータ上で実現可能である。
【０２２７】
送出装置１３１と受信装置１４０間の番組の伝送は、テレビの放送電波に限定されるものではなく、インターネット等のネットワークやケーブルテレビサービスを利用したものでもよい。
【０２２８】
また、上記の図３に示す話題提示装置の提示話題語作成部１０９、チャネル情報テーブル作成部１１１の動作をプログラムとして構築し、話題提示装置として利用されるコンピュータにインストールして実行する、または、ネットワークを介して流通させることが可能である。
【０２２９】
また、構築されたプログラムをハードディスク装置や、フレキシブルディスク、ＣＤ−ＲＯＭ等の可搬記憶媒体に格納しておき、コンピュータにインストールする、または、配布することも可能である。
【０２３０】
なお、本発明は、上記の実施の形態に限定されることなく、特許請求の範囲内において種々変更・応用が可能である。
【産業上の利用可能性】
【０２３１】
本発明は、掲示板システムやチャットシステム等のコミュニケーションツールを用いるシステムに適用可能である。
【図面の簡単な説明】
【０２３２】
【図１】本発明の原理構成図である。
【図２】本発明の原理を説明するための図である。
【図３】本発明の第１の実施の形態における話題提示装置の構成図である。
【図４】本発明の第１の実施の形態における話題提示装置への入力されたメッセージの例である。
【図５】本発明の第１の実施の形態における解析済みメッセージ記憶部に格納されるメッセージの例である。
【図６】本発明の第１の実施の形態における出現メッセージ記憶部に記憶されるデータ例である。
【図７】本発明の第１の実施の形態における語出現最新時刻記憶部に記憶されるデータ例である。
【図８】本発明の第１の実施の形態における話題構成語記憶部に記憶されるデータ例である。
【図９】本発明の第１の実施の形態における話題リスト記憶部に記憶されるデータ例である。
【図１０】本発明の第１の実施の形態における期間外話題表示形式記憶部に記憶されるデータ例である。
【図１１】本発明の第１の実施の形態における提示話題語作成部のフローチャート（その１）である。
【図１２】本発明の第１の実施の形態における提示話題語作成部のフローチャート（その２）である。
【図１３】本発明の第１の実施の形態におけるチャネル情報テーブル作成部の処理のフローチャートである。
【図１４】本発明の第１の実施の形態における表示用テーブルの例である。
【図１５】本発明の第１の実施の形態における表示装置に表示されるテーブル例である。
【図１６】本発明の第２の実施の形態における話題表示システムの構成図である。
【図１７】本発明の第２の実施の形態における受信装置構成例である。
【図１８】本発明の第２の実施の形態における受信装置の動作のフローチャートである。
【図１９】本発明の第２の実施の形態におけるチャネル情報入力装置の構成例である。
【図２０】本発明の第２の実施の形態におけるチャネル情報入力装置の動作のフローチャートである。
【図２１】本発明の第２の実施の形態におけるチャネル情報管理装置の構成例である。
【図２２】本発明の第２の実施の形態におけるチャネル情報管理装置のメッセージ記憶部に記憶されるデータ例である。
【図２３】本発明の第２の実施の形態におけるチャネル情報管理装置の動作のフローチャートである。
【図２４】本発明の第２の実施の形態におけるチャネル情報閲覧装置の構成例である。
【図２５】本発明の第２の実施の形態におけるチャネル情報閲覧装置の動作のフローチャートである。
【図２６】本発明の第２の実施の形態におけるチャネル情報収集装置の構成例である。
【図２７】本発明の第２の実施の形態におけるチャネル情報収集装置の動作のフローチャートである。
【図２８】本発明の第２の実施の形態におけるチャネル情報テーブル管理装置の構成例である。
【図２９】本発明の第２の実施の形態におけるチャネル情報テーブル管理装置の動作のフローチャートである。
【図３０】本発明の第２の実施の形態におけるチャネル情報テーブル管理装置のチャネル情報テーブル作成部の動作のフローチャートである。
【図３１】本発明の第２の実施の形態におけるチャネル情報テーブル提示装置の構成例である。
【図３２】本発明の第２の実施の形態におけるチャネル情報テーブル提示装置の動作のフローチャートである。
【符号の説明】
【０２３３】
１０  入力装置
１００  話題提示装置
１０２  カウンタ値記憶部
１０３  形態素解析部
１０４  パタン記憶部
１０５  解析済みメッセージ記憶部
１０６  出現メッセージ数記憶部
１０７  語出現最新時刻記憶手段、語出現最新時刻記憶部
１０８  話題構成語記憶手段、話題構成語記憶部
１０９  提示話題語作成手段、提示話題語作成部
１１０  話題リスト記憶手段、話題リスト記憶部
１１１  チャネル情報テーブル作成手段、チャネル情報テーブル作成部
１１２  時間範囲記憶部
１１３  表示話題数記憶部
１１４  期間外話題表示形式記憶部
１３１  送出装置
１３２  入力装置
１３３  表示装置
１４０  受信装置
１４１  受信部
１４２  音声処理部
１４３  映像処理部
１４４  チャネル情報テーブル提示装置からの出力記憶部
１４５  アンテナ
１４６  スピーカ
１４７  表示装置
１６０  チャネル情報入力装置
１６１  登録処理部
１６２  チャネル情報テーブル提示装置からの出力記憶部
１６３  入力装置からの出力データ記憶部
１６４  入力文字記憶部
１６５  指定識別子記憶部
１６６  チャネル情報管理装置への入力記憶部／チャネル情報入力装置からの出力記憶部
１８０  チャネル情報管理装置
１８１  チャネル情報閲覧装置からの出力記憶部
１８２  チャネル情報閲覧装置への入力記憶部
１８３  チャネル情報収集装置からの出力記憶部
１８４  チャネル情報収集装置への入力記憶部
１８５  カウンタ記憶部
１８６  要求処理部
１８７  メッセージ記憶部
２００  チャネル情報閲覧装置
２０１  チャネル情報テーブル提示装置からの出力記憶部
２０２  チャネル情報管理装置への入力記憶部
２０３  チャネル情報管理装置からの出力記憶部
２０４  閲覧制御部
２２０  チャネル情報収集装置
２２１  チャネル識別子リスト記憶部
２２３  履歴記憶部
２２４  チャネル情報テーブル管理装置への入力記憶部
２４０  チャネル情報テーブル提示装置
２４１  入力装置からの出力記憶部
２４２  受信装置への入力記憶部
２４３  チャネル閲覧装置への入力記憶部
２４４  チャネル情報入力装置への入力記憶部
２４５  提示処理部
２４６  チャネル情報テーブル管理装置への入力記憶部
２４７  チャネル情報テーブル管理装置からの出力記憶部
２６０  チャネル情報管理装置
２６１  制御部
２６３  チャネル情報テーブル記憶部
２６４  チャネル情報収集装置からの出力記憶部
２６５  チャネル情報テーブル提示装置からの出力記憶部
２６６  チャネル情報テーブル提示装置への入力記憶部
【図１】
2006350863.tif 000004
【図２】
2006350863.tif 000005
【図３】
2006350863.tif 000006
【図４】
2006350863.tif 000007
【図５】
2006350863.tif 000008
【図６】
2006350863.tif 000009
【図７】
2006350863.tif 000010
【図８】
2006350863.tif 000011
【図９】
2006350863.tif 000012
【図１０】
2006350863.tif 000013
【図１１】
2006350863.tif 000014
【図１２】
2006350863.tif 000015
【図１３】
2006350863.tif 000016
【図１４】
2006350863.tif 000017
【図１５】
2006350863.tif 000018
【図１６】
2006350863.tif 000019
【図１７】
2006350863.tif 000020
【図１８】
2006350863.tif 000021
【図１９】
2006350863.tif 000022
【図２０】
2006350863.tif 000023
【図２１】
2006350863.tif 000024
【図２２】
2006350863.tif 000025
【図２３】
2006350863.tif 000026
【図２４】
2006350863.tif 000027
【図２５】
2006350863.tif 000028
【図２６】
2006350863.tif 000029
【図２７】
2006350863.tif 000030
【図２８】
2006350863.tif 000031
【図２９】
2006350863.tif 000032
【図３０】
2006350863.tif 000033
【図３１】
2006350863.tif 000034
【図３２】
2006350863.tif 000035